(57)【要約】【課題】操作者が用紙ジャムの発生位置をより適切に知得することが可能な技術を提供する。【解決手段】ＭＦＰ１０は、複数のオプション装置が当該ＭＦＰに装着されて構成される画像形成システム１にて検出された用紙ジャムの発生位置を表示するに際して、画像形成システム１の全体の外観を示す画像である外観画像２００に関するスクロール表示を行うか否かを決定する。ＭＦＰ１０のタッチパネル２５は、スクロール表示を行う旨が決定される場合、外観画像２００のうち画像形成システム１に関する基準位置ＰＳに対応する部分画像である基準位置画像Ｑをスクロール表示の開始直前に表示した後に、外観画像２００のうち用紙ジャムの発生位置を示す部分画像（ジャム位置報知画像）２５２へのスクロール表示を実行する。【選択図】図１５
2019101910.tif 000002
【特許請求の範囲】
【請求項１】
オプション装置を装着することが可能な画像形成装置であって、
複数のオプション装置が前記画像形成装置に装着されて構成される画像形成システムにて検出された用紙ジャムの発生位置を取得するジャム位置取得手段と、
前記用紙ジャムの発生位置を表示するに際して、前記画像形成装置と前記複数のオプション装置とが所定方向に配列されて構成される前記画像形成システムの全体の外観を示す画像である外観画像のうち、その表示対象範囲である部分画像を徐々に変更しつつ表示するスクロール表示を行うか否かを決定する決定手段と、
前記画像形成システムにおける前記用紙ジャムの発生位置を示すジャム位置報知画像を表示することが可能な表示手段と、
を備え、
前記表示手段は、前記スクロール表示を行う旨が前記決定手段によって決定される場合、前記外観画像のうち前記画像形成システムの基準位置に対応する部分画像である基準位置画像を前記スクロール表示の開始直前に表示した後に、前記外観画像のうち前記用紙ジャムの発生位置を示す部分画像である前記ジャム位置報知画像への前記スクロール表示を実行することを特徴とする画像形成装置。
【請求項２】
請求項１に記載の画像形成装置において、
前記複数のオプション装置は、給紙装置および／または後処理装置を含むことを特徴とする画像形成装置。
【請求項３】
請求項１または請求項２に記載の画像形成装置において、
前記表示手段に表示された前記基準位置画像を操作者が視認したか否かを判定する判定手段、
をさらに備え、
前記表示手段は、前記基準位置画像を前記操作者が視認した旨が判定されることを条件として、前記スクロール表示を開始し、前記基準位置画像に代えて前記ジャム位置報知画像を表示することを特徴とする画像形成装置。
【請求項４】
請求項３に記載の画像形成装置において、
前記判定手段は、前記表示手段自体あるいは前記表示手段の近傍に配置された人感センサによる検出結果に基づいて、前記基準位置画像を前記操作者が視認したか否かを判定することを特徴とする画像形成装置。
【請求項５】
請求項３に記載の画像形成装置において、
前記判定手段は、前記操作者による確認ボタンの押下の有無に基づいて、前記基準位置画像を前記操作者が視認したか否かを判定することを特徴とする画像形成装置。
【請求項６】
請求項１から請求項５のいずれかに記載の画像形成装置において、
前記決定手段は、前記外観画像の前記所定方向における画素数が前記表示手段の前記所定方向における画素数よりも大きいことを条件として、前記スクロール表示を行う旨を決定することを特徴とする画像形成装置。
【請求項７】
請求項６に記載の画像形成装置において、
前記画像形成装置に対して装着可能な２以上のオプション装置のうち、前記画像形成装置に実際に装着されている前記複数のオプション装置を検知する装着状況検知手段、
をさらに備え、
前記外観画像は、前記画像形成装置に実際に装着されている前記複数のオプション装置の種類および／または個数に応じて前記所定方向の画素数が異なるように生成され、
前記決定手段は、前記画像形成装置に実際に装着されているオプション装置に応じて生成された前記外観画像に基づいて、前記スクロール表示を行うか否かを決定することを特徴とする画像形成装置。
【請求項８】
請求項１から請求項７のいずれかに記載の画像形成装置において、
前記決定手段は、前記画像形成システムにおける前記用紙ジャムの発生位置に基づいて、前記スクロール表示を行うか否かを決定することを特徴とする画像形成装置。
【請求項９】
請求項８に記載の画像形成装置において、
前記決定手段は、前記基準位置画像の外部の位置で前記用紙ジャムが発生していることを条件として、前記スクロール表示を行う旨を決定し、
前記表示手段は、前記基準位置画像を前記スクロール表示の開始直前に表示し、前記用紙ジャムの発生位置を示す部分画像を前記スクロール表示の開始後に前記ジャム位置報知画像として表示することを特徴とする画像形成装置。
【請求項１０】
請求項８または請求項９に記載の画像形成装置において、
前記決定手段は、前記用紙ジャムの発生位置が前記画像形成装置の本体画像内の位置のみである場合、前記スクロール表示を行わない旨を決定することを特徴とする画像形成装置。
【請求項１１】
請求項８から請求項１０のいずれかに記載の画像形成装置において、
前記決定手段は、前記用紙ジャムの発生位置が、前記画像形成システムの上流側端部と下流側端部とのうちの一方に対応する部分画像である端部画像内の位置のみである場合、前記スクロール表示を行わない旨を決定することを特徴とする画像形成装置。
【請求項１２】
請求項８から請求項１１のいずれかに記載の画像形成装置において、
前記基準位置画像は、次に解消すべき用紙ジャムが存在する側を指し示す矢印画像を有していることを特徴とする画像形成装置。
【請求項１３】
請求項８から請求項１１のいずれかに記載の画像形成装置において、
前記基準位置画像は、当該基準位置画像の前記所定方向における両端部のうち、次に解消すべき用紙ジャムの位置に対応する端部において、点滅部分を有していることを特徴とする画像形成装置。
【請求項１４】
請求項８から請求項１１のいずれかに記載の画像形成装置において、
前記基準位置画像は、次に解消すべき用紙ジャムが存在する側を指し示す矢印画像を有するとともに、当該用紙ジャムが存在する側とは反対側に更なる用紙ジャムが残存している場合、前記基準位置画像の前記所定方向における両端部のうち、少なくとも前記更なる用紙ジャムが存在する側の端部において点滅部分を有していることを特徴とする画像形成装置。
【請求項１５】
請求項８から請求項１４のいずれかに記載の画像形成装置において、
前記決定手段は、複数の位置で前記用紙ジャムが発生している場合、前記複数の位置への各スクロール表示を行う旨を決定し、
前記表示手段は、前記複数の位置をそれぞれ示す複数の部分画像を順次に表示することを特徴とする画像形成装置。
【請求項１６】
請求項１５に記載の画像形成装置において、
前記表示手段は、前記複数の部分画像のうちの第１の部分画像内の第１の位置に関する前記用紙ジャムの解消に応じて前記基準位置画像を再表示した後、再表示された当該基準位置画像から、前記第１の位置とは異なる第２の位置に対応する第２の部分画像へのスクロール動作を行って、前記第２の部分画像を新たなジャム位置報知画像として表示することを特徴とする画像形成装置。
【請求項１７】
請求項１５に記載の画像形成装置において、
前記表示手段は、前記複数の部分画像のうちの第１の部分画像内の第１の位置に関する前記用紙ジャムの解消が解消された後、
残存ジャムが前記基準位置に対して両側に存在する場合、前記基準位置画像を再表示するとともに、再表示された当該基準位置画像から、前記第１の位置とは異なる第２の位置に対応する第２の部分画像へのスクロール動作を行って、前記第２の部分画像を新たなジャム位置報知画像として表示し、
前記残存ジャムが前記基準位置に対して片側にのみ存在する場合、前記第１の部分画像から前記第２の部分画像へのスクロール動作を行って、前記第２の部分画像を新たなジャム位置報知画像として表示することを特徴とする画像形成装置。
【請求項１８】
請求項１６または請求項１７に記載の画像形成装置において、
前記表示手段は、前記表示手段にて再表示された前記基準位置画像である再表示画像を操作者が視認した旨が判定されることを条件として、前記再表示画像から前記第２の部分画像へのスクロール動作を開始し、前記第２の部分画像を表示することを特徴とする画像形成装置。
【請求項１９】
請求項１５に記載の画像形成装置において、
前記表示手段は、前記複数の部分画像のうち、第１の部分画像内の第１の位置に関する前記用紙ジャムが解消された後、前記第１の部分画像から、前記第１の位置とは異なる第２の位置に対応する第２の部分画像へのスクロール動作を行って、前記第２の部分画像を新たなジャム位置報知画像として表示することを特徴とする画像形成装置。
【請求項２０】
請求項１９に記載の画像形成装置において、
前記表示手段は、前記用紙ジャムの解消後に前記表示手段に表示されている前記第１の部分画像を操作者が視認した旨が判定されることを条件として、前記第１の部分画像から前記第２の部分画像へのスクロール表示を開始し、前記第２の部分画像を表示することを特徴とする画像形成装置。
【請求項２１】
請求項１から請求項２０のいずれかに記載の画像形成装置において、
前記基準位置は、前記画像形成装置の配置範囲内の位置であり、
前記基準位置画像は、前記外観画像のうち、前記画像形成装置に関する部分画像であることを特徴とする画像形成装置。
【請求項２２】
請求項１から請求項２０のいずれかに記載の画像形成装置において、
前記基準位置は、前記画像形成システムの上流側端部に配置されるオプション装置の配置範囲内の位置であり、
前記基準位置画像は、前記外観画像のうち、前記上流側端部を含む部分画像であることを特徴とする画像形成装置。
【請求項２３】
請求項１から請求項２０のいずれかに記載の画像形成装置において、
前記基準位置は、前記画像形成システムの下流側端部に配置されるオプション装置の配置範囲内の位置であり、
前記基準位置画像は、前記外観画像のうち、前記下流側端部を含む部分画像であることを特徴とする画像形成装置。
【請求項２４】
請求項１から請求項２０のいずれかに記載の画像形成装置において、
前記基準位置は、前記画像形成システムにおいて前記画像形成装置よりも上流側に配置されたオプション装置に付されたマークに対応する位置であり、
前記基準位置画像は、前記外観画像のうち、前記マークに対応する箇所を含む部分画像であることを特徴とする画像形成装置。
【請求項２５】
請求項１から請求項２０のいずれかに記載の画像形成装置において、
前記基準位置は、前記画像形成システムにおいて前記画像形成装置よりも下流側に配置されたオプション装置に付されたマークに対応する位置であり、
前記基準位置画像は、前記外観画像のうち、前記マークに対応する箇所を含む部分画像であることを特徴とする画像形成装置。
【請求項２６】
請求項２１に記載の画像形成装置において、
前記決定手段は、複数の位置で前記用紙ジャムが発生している場合、前記スクロール表示を行う旨を決定し、
前記表示手段は、当該複数の位置にそれぞれ対応する複数の部分画像を所定の優先順位に従って表示し、
前記所定の優先順位は、前記画像形成装置を示す部分画像、前記画像形成装置よりも上流側の装置を示す部分画像、および前記画像形成装置よりも下流側の装置を示す部分画像、の順であることを特徴とする画像形成装置。
【請求項２７】
請求項２２または請求項２４に記載の画像形成装置において、
前記決定手段は、複数の位置で前記用紙ジャムが発生している場合、前記スクロール表示を行う旨を決定し、
前記表示手段は、当該複数の位置にそれぞれ対応する複数の部分画像を所定の優先順位に従って表示し、
前記所定の優先順位は、前記画像形成装置よりも上流側の装置を示す部分画像、前記画像形成装置を示す部分画像、および前記画像形成装置よりも下流側の装置を示す部分画像、の順であることを特徴とする画像形成装置。
【請求項２８】
請求項２３または請求項２５に記載の画像形成装置において、
前記決定手段は、複数の位置で前記用紙ジャムが発生している場合、前記スクロール表示を行う旨を決定し、
前記表示手段は、当該複数の位置にそれぞれ対応する複数の部分画像を所定の優先順位に従って表示し、
前記所定の優先順位は、前記画像形成装置よりも下流側の装置を示す部分画像、前記画像形成装置、および前記画像形成装置よりも上流側の装置を示す部分画像、の順であることを特徴とする画像形成装置。
【請求項２９】
画像形成システムであって、
請求項１から請求項２８のいずれかに記載の画像形成装置と、
前記画像形成装置に関する前記複数のオプション装置と、
を備えることを特徴とする画像形成システム。
【請求項３０】
オプション装置を装着することが可能な画像形成装置の制御方法であって、
ａ）複数のオプション装置が前記画像形成装置に装着されて構成される画像形成システムにて検出された用紙ジャムの発生位置を取得するステップと、
ｂ）前記用紙ジャムの発生位置を表示するに際して、前記画像形成装置と前記複数のオプション装置とが所定方向に配列されて構成される前記画像形成システムの全体の外観を示す画像である外観画像のうち、その表示対象範囲である部分画像を徐々に変更しつつ表示するスクロール表示を行うか否かを決定するステップと、
ｃ）前記画像形成システムにおける前記用紙ジャムの発生位置を示すジャム位置報知画像を表示するステップと、
を備え、
前記ステップｃ）においては、前記スクロール表示を行う旨が前記ステップｂ）にて決定される場合、前記画像形成システムに関する基準位置に対応する部分画像である基準位置画像が前記スクロール表示の開始直前に表示された後に、前記外観画像のうち前記用紙ジャムの発生位置を示す部分画像である前記ジャム位置報知画像への前記スクロール表示が実行されることを特徴とする制御方法。
【請求項３１】
請求項３０に記載の制御方法を、前記画像形成装置に内蔵されたコンピュータに実行させるプログラム。
【発明の詳細な説明】
【技術分野】
【０００１】
本発明は、オプション装置（給紙装置および／または後処理装置等）を装着することが可能な画像形成装置（ＭＦＰ等）およびそれに関連する技術に関する。
【背景技術】
【０００２】
オプション装置（給紙装置および／または後処理装置等）を装着することが可能な画像形成装置（ＭＦＰ等）が存在する。
【０００３】
また、当該画像形成装置において、用紙ジャムが発生すると、画像形成装置の操作部にジャム位置報知画面（ジャム位置を示す画面）を表示して、用紙ジャムの発生位置を操作者に報知する技術が存在する（特許文献１等参照）。
【先行技術文献】
【特許文献】
【０００４】
【特許文献１】特開２０１６−１０７５１６号公報
【発明の概要】
【発明が解決しようとする課題】
【０００５】
しかしながら、複数のオプション装置を含む装置群がＭＦＰ本体に直列的に連結されている画像形成システムにおいて、当該画像形成システムの全体的な外観を示す横長画像（外観画像）をＭＦＰの操作パネルに一度に表示しようとしても、外観画像をそのまま表示できないことがある。たとえば、ＭＦＰの操作パネルの横方向の画素サイズが十分な大きさを有していない場合（縦長の操作パネルを使用する場合を含む）、あるいは、当該画像形成システムの横方向の長さ（幅）が非常に大きい場合等においては、当該外観画像を操作パネルにそのまま表示することができない。
【０００６】
これに対して、仮に操作パネルの横幅に応じた縮小度合いで（比較的大きな縮小度合いで）当該外観画像が縮小表示されると、当該外観画像は見難くなる。
【０００７】
そこで、本発明は、操作者が用紙ジャムの発生位置をより適切に知得することが可能な技術を提供することを課題とする。
【課題を解決するための手段】
【０００８】
上記課題を解決すべく、請求項１の発明は、オプション装置を装着することが可能な画像形成装置であって、複数のオプション装置が前記画像形成装置に装着されて構成される画像形成システムにて検出された用紙ジャムの発生位置を取得するジャム位置取得手段と、前記用紙ジャムの発生位置を表示するに際して、前記画像形成装置と前記複数のオプション装置とが所定方向に配列されて構成される前記画像形成システムの全体の外観を示す画像である外観画像のうち、その表示対象範囲である部分画像を徐々に変更しつつ表示するスクロール表示を行うか否かを決定する決定手段と、前記画像形成システムにおける前記用紙ジャムの発生位置を示すジャム位置報知画像を表示することが可能な表示手段と、を備え、前記表示手段は、前記スクロール表示を行う旨が前記決定手段によって決定される場合、前記外観画像のうち前記画像形成システムの基準位置に対応する部分画像である基準位置画像を前記スクロール表示の開始直前に表示した後に、前記外観画像のうち前記用紙ジャムの発生位置を示す部分画像である前記ジャム位置報知画像への前記スクロール表示を実行することを特徴とする。
【０００９】
請求項２の発明は、請求項１の発明に係る画像形成装置において、前記複数のオプション装置は、給紙装置および／または後処理装置を含むことを特徴とする。
【００１０】
請求項３の発明は、請求項１または請求項２の発明に係る画像形成装置において、前記表示手段に表示された前記基準位置画像を操作者が視認したか否かを判定する判定手段、をさらに備え、前記表示手段は、前記基準位置画像を前記操作者が視認した旨が判定されることを条件として、前記スクロール表示を開始し、前記基準位置画像に代えて前記ジャム位置報知画像を表示することを特徴とする。
【００１１】
請求項４の発明は、請求項３の発明に係る画像形成装置において、前記判定手段は、前記表示手段自体あるいは前記表示手段の近傍に配置された人感センサによる検出結果に基づいて、前記基準位置画像を前記操作者が視認したか否かを判定することを特徴とする。
【００１２】
請求項５の発明は、請求項３の発明に係る画像形成装置において、前記判定手段は、前記操作者による確認ボタンの押下の有無に基づいて、前記基準位置画像を前記操作者が視認したか否かを判定することを特徴とする。
【００１３】
請求項６の発明は、請求項１から請求項５のいずれかの発明に係る画像形成装置において、前記決定手段は、前記外観画像の前記所定方向における画素数が前記表示手段の前記所定方向における画素数よりも大きいことを条件として、前記スクロール表示を行う旨を決定することを特徴とする。
【００１４】
請求項７の発明は、請求項６の発明に係る画像形成装置において、前記画像形成装置に対して装着可能な２以上のオプション装置のうち、前記画像形成装置に実際に装着されている前記複数のオプション装置を検知する装着状況検知手段、をさらに備え、前記外観画像は、前記画像形成装置に実際に装着されている前記複数のオプション装置の種類および／または個数に応じて前記所定方向の画素数が異なるように生成され、前記決定手段は、前記画像形成装置に実際に装着されているオプション装置に応じて生成された前記外観画像に基づいて、前記スクロール表示を行うか否かを決定することを特徴とする。
【００１５】
請求項８の発明は、請求項１から請求項７のいずれかの発明に係る画像形成装置において、前記決定手段は、前記画像形成システムにおける前記用紙ジャムの発生位置に基づいて、前記スクロール表示を行うか否かを決定することを特徴とする。
【００１６】
請求項９の発明は、請求項８の発明に係る画像形成装置において、前記決定手段は、前記基準位置画像の外部の位置で前記用紙ジャムが発生していることを条件として、前記スクロール表示を行う旨を決定し、前記表示手段は、前記基準位置画像を前記スクロール表示の開始直前に表示し、前記用紙ジャムの発生位置を示す部分画像を前記スクロール表示の開始後に前記ジャム位置報知画像として表示することを特徴とする。
【００１７】
請求項１０の発明は、請求項８または請求項９の発明に係る画像形成装置において、前記決定手段は、前記用紙ジャムの発生位置が前記画像形成装置の本体画像内の位置のみである場合、前記スクロール表示を行わない旨を決定することを特徴とする。
【００１８】
請求項１１の発明は、請求項８から請求項１０のいずれかの発明に係る画像形成装置において、前記決定手段は、前記用紙ジャムの発生位置が、前記画像形成システムの上流側端部と下流側端部とのうちの一方に対応する部分画像である端部画像内の位置のみである場合、前記スクロール表示を行わない旨を決定することを特徴とする。
【００１９】
請求項１２の発明は、請求項８から請求項１１のいずれかの発明に係る画像形成装置において、前記基準位置画像は、次に解消すべき用紙ジャムが存在する側を指し示す矢印画像を有していることを特徴とする。
【００２０】
請求項１３の発明は、請求項８から請求項１１のいずれかの発明に係る画像形成装置において、前記基準位置画像は、当該基準位置画像の前記所定方向における両端部のうち、次に解消すべき用紙ジャムの位置に対応する端部において、点滅部分を有していることを特徴とする。
【００２１】
請求項１４の発明は、請求項８から請求項１１のいずれかの発明に係る画像形成装置において、前記基準位置画像は、次に解消すべき用紙ジャムが存在する側を指し示す矢印画像を有するとともに、当該用紙ジャムが存在する側とは反対側に更なる用紙ジャムが残存している場合、前記基準位置画像の前記所定方向における両端部のうち、少なくとも前記更なる用紙ジャムが存在する側の端部において点滅部分を有していることを特徴とする。
【００２２】
請求項１５の発明は、請求項８から請求項１４のいずれかの発明に係る画像形成装置において、前記決定手段は、複数の位置で前記用紙ジャムが発生している場合、前記複数の位置への各スクロール表示を行う旨を決定し、前記表示手段は、前記複数の位置をそれぞれ示す複数の部分画像を順次に表示することを特徴とする。
【００２３】
請求項１６の発明は、請求項１５の発明に係る画像形成装置において、前記表示手段は、前記複数の部分画像のうちの第１の部分画像内の第１の位置に関する前記用紙ジャムの解消に応じて前記基準位置画像を再表示した後、再表示された当該基準位置画像から、前記第１の位置とは異なる第２の位置に対応する第２の部分画像へのスクロール動作を行って、前記第２の部分画像を新たなジャム位置報知画像として表示することを特徴とする。
【００２４】
請求項１７の発明は、請求項１５の発明に係る画像形成装置において、前記表示手段は、前記複数の部分画像のうちの第１の部分画像内の第１の位置に関する前記用紙ジャムの解消が解消された後、残存ジャムが前記基準位置に対して両側に存在する場合、前記基準位置画像を再表示するとともに、再表示された当該基準位置画像から、前記第１の位置とは異なる第２の位置に対応する第２の部分画像へのスクロール動作を行って、前記第２の部分画像を新たなジャム位置報知画像として表示し、前記残存ジャムが前記基準位置に対して片側にのみ存在する場合、前記第１の部分画像から前記第２の部分画像へのスクロール動作を行って、前記第２の部分画像を新たなジャム位置報知画像として表示することを特徴とする。
【００２５】
請求項１８の発明は、請求項１６または請求項１７の発明に係る画像形成装置において、前記表示手段は、前記表示手段にて再表示された前記基準位置画像である再表示画像を操作者が視認した旨が判定されることを条件として、前記再表示画像から前記第２の部分画像へのスクロール動作を開始し、前記第２の部分画像を表示することを特徴とする。
【００２６】
請求項１９の発明は、請求項１５の発明に係る画像形成装置において、前記表示手段は、前記複数の部分画像のうち、第１の部分画像内の第１の位置に関する前記用紙ジャムが解消された後、前記第１の部分画像から、前記第１の位置とは異なる第２の位置に対応する第２の部分画像へのスクロール動作を行って、前記第２の部分画像を新たなジャム位置報知画像として表示することを特徴とする。
【００２７】
請求項２０の発明は、請求項１９の発明に係る画像形成装置において、前記表示手段は、前記用紙ジャムの解消後に前記表示手段に表示されている前記第１の部分画像を操作者が視認した旨が判定されることを条件として、前記第１の部分画像から前記第２の部分画像へのスクロール表示を開始し、前記第２の部分画像を表示することを特徴とする。
【００２８】
請求項２１の発明は、請求項１から請求項２０のいずれかの発明に係る画像形成装置において、前記基準位置は、前記画像形成装置の配置範囲内の位置であり、前記基準位置画像は、前記外観画像のうち、前記画像形成装置に関する部分画像であることを特徴とする。
【００２９】
請求項２２の発明は、請求項１から請求項２０のいずれかの発明に係る画像形成装置において、前記基準位置は、前記画像形成システムの上流側端部に配置されるオプション装置の配置範囲内の位置であり、前記基準位置画像は、前記外観画像のうち、前記上流側端部を含む部分画像であることを特徴とする。
【００３０】
請求項２３の発明は、請求項１から請求項２０のいずれかの発明に係る画像形成装置において、前記基準位置は、前記画像形成システムの下流側端部に配置されるオプション装置の配置範囲内の位置であり、前記基準位置画像は、前記外観画像のうち、前記下流側端部を含む部分画像であることを特徴とする。
【００３１】
請求項２４の発明は、請求項１から請求項２０のいずれかの発明に係る画像形成装置において、前記基準位置は、前記画像形成システムにおいて前記画像形成装置よりも上流側に配置されたオプション装置に付されたマークに対応する位置であり、前記基準位置画像は、前記外観画像のうち、前記マークに対応する箇所を含む部分画像であることを特徴とする。
【００３２】
請求項２５の発明は、請求項１から請求項２０のいずれかの発明に係る画像形成装置において、前記基準位置は、前記画像形成システムにおいて前記画像形成装置よりも下流側に配置されたオプション装置に付されたマークに対応する位置であり、前記基準位置画像は、前記外観画像のうち、前記マークに対応する箇所を含む部分画像であることを特徴とする。
【００３３】
請求項２６の発明は、請求項２１の発明に係る画像形成装置において、前記決定手段は、複数の位置で前記用紙ジャムが発生している場合、前記スクロール表示を行う旨を決定し、前記表示手段は、当該複数の位置にそれぞれ対応する複数の部分画像を所定の優先順位に従って表示し、前記所定の優先順位は、前記画像形成装置を示す部分画像、前記画像形成装置よりも上流側の装置を示す部分画像、および前記画像形成装置よりも下流側の装置を示す部分画像、の順であることを特徴とする。
【００３４】
請求項２７の発明は、請求項２２または請求項２４の発明に係る画像形成装置において、前記決定手段は、複数の位置で前記用紙ジャムが発生している場合、前記スクロール表示を行う旨を決定し、前記表示手段は、当該複数の位置にそれぞれ対応する複数の部分画像を所定の優先順位に従って表示し、前記所定の優先順位は、前記画像形成装置よりも上流側の装置を示す部分画像、前記画像形成装置を示す部分画像、および前記画像形成装置よりも下流側の装置を示す部分画像、の順であることを特徴とする。
【００３５】
請求項２８の発明は、請求項２３または請求項２５の発明に係る画像形成装置において、前記決定手段は、複数の位置で前記用紙ジャムが発生している場合、前記スクロール表示を行う旨を決定し、前記表示手段は、当該複数の位置にそれぞれ対応する複数の部分画像を所定の優先順位に従って表示し、前記所定の優先順位は、前記画像形成装置よりも下流側の装置を示す部分画像、前記画像形成装置、および前記画像形成装置よりも上流側の装置を示す部分画像、の順であることを特徴とする。
【００３６】
請求項２９の発明は、画像形成システムであって、請求項１から請求項２８のいずれかの発明に係る画像形成装置と、前記画像形成装置に関する前記複数のオプション装置と、を備えることを特徴とする。
【００３７】
請求項３０の発明は、オプション装置を装着することが可能な画像形成装置の制御方法であって、ａ）複数のオプション装置が前記画像形成装置に装着されて構成される画像形成システムにて検出された用紙ジャムの発生位置を取得するステップと、ｂ）前記用紙ジャムの発生位置を表示するに際して、前記画像形成装置と前記複数のオプション装置とが所定方向に配列されて構成される前記画像形成システムの全体の外観を示す画像である外観画像のうち、その表示対象範囲である部分画像を徐々に変更しつつ表示するスクロール表示を行うか否かを決定するステップと、ｃ）前記画像形成システムにおける前記用紙ジャムの発生位置を示すジャム位置報知画像を表示するステップと、を備え、前記ステップｃ）においては、前記スクロール表示を行う旨が前記ステップｂ）にて決定される場合、前記画像形成システムに関する基準位置に対応する部分画像である基準位置画像が前記スクロール表示の開始直前に表示された後に、前記外観画像のうち前記用紙ジャムの発生位置を示す部分画像である前記ジャム位置報知画像への前記スクロール表示が実行されることを特徴とする。
【００３８】
請求項３１の発明は、請求項３０の発明に係る制御方法を、前記画像形成装置に内蔵されたコンピュータに実行させるプログラムであることを特徴とする。
【発明の効果】
【００３９】
請求項１から請求項３１に記載の発明によれば、操作者が用紙ジャムの発生位置をより適切に知得することが可能である。
【図面の簡単な説明】
【００４０】
【図１】画像形成システムの概略構成を示す図である。
【図２】ＭＦＰ（画像形成装置）の機能ブロックを示す図である。
【図３】第１実施形態に係るＭＦＰの動作を示すフローチャートである。
【図４】図３の一部の動作を示すフローチャートである。
【図５】図３の他の一部の動作を示すフローチャートである。
【図６】外観画像における各部分画像の大きさが規定されたデータテーブルを示す図である。
【図７】外観画像を示す図である。
【図８】用紙ジャム発生位置に円形図形が付された外観画像を示す図である。
【図９】基準位置画像を示す図である。
【図１０】矢印画像を有する基準位置画像を示す図である。
【図１１】点滅領域を有する基準位置画像を示す図である。
【図１２】残存ジャムの存在等を点滅で報知する基準位置画像を示す図である。
【図１３】ジャム位置報知画像を示す図である。
【図１４】最初に表示される基準位置画像等を示す図である。
【図１５】１つ目のジャム位置に関するジャム位置報知画像等を示す図である。
【図１６】再表示される基準位置画像等を示す図である。
【図１７】２つ目のジャム位置に関するジャム位置報知画像等を示す図である。
【図１８】再び表示される基準位置画像等を示す図である。
【図１９】３つ目のジャム位置に関するジャム位置報知画像等を示す図である。
【図２０】基準位置にのみジャムが発生した場合に表示される画像を示す図である。
【図２１】右端部にのみジャムが発生した場合に表示される画像を示す図である。
【図２２】左端部にのみジャムが発生した場合に表示される画像を示す図である。
【図２３】複数の部分画像の優先順位（用紙ジャムの優先順位）を示す図である。
【図２４】ユーザによる視認を確認するための確認ボタン等を示す図である。
【図２５】第２実施形態に係る動作の一部を示すフローチャートである。
【図２６】１つ目のジャム位置報知画像から２つ目のジャム位置報知画像へのスクロール動作を示す図である。
【図２７】２つ目のジャム位置報知画像から３つ目のジャム位置報知画像へのスクロール動作を示す図である。
【図２８】変形例に係る動作の一部を示すフローチャートである。
【図２９】基準位置および基準位置画像に関する変形例を示す図である。
【図３０】基準位置および基準位置画像に関する他の変形例を示す図である。
【図３１】基準位置および基準位置画像に関する別の変形例を示す図である。
【図３２】基準位置および基準位置画像に関する更に別の変形例を示す図である。
【発明を実施するための形態】
【００４１】
以下、本発明の実施形態を図面に基づいて説明する。
【００４２】
＜１．第１実施形態＞
＜１−１．システム構成＞
図１は、本発明の第１実施形態に係る画像形成システム１（１Ａとも称する）の構成を示す概略図である。図１に示されるように、画像形成システム１は、ＭＦＰ１０と複数のオプション装置５０とを備える。ＭＦＰ１０には、複数のオプション装置５０を装着（連結）することが可能であり、画像形成システム１は、ＭＦＰ１０（ＭＦＰ本体部あるいは本体装置とも称する）に複数のオプション装置５０が装着されて構成される。オプション装置５０としては、給紙装置６０および／または後処理装置７０が例示される。給紙装置６０は、大量の印刷用紙および／または多様な種類の印刷用紙等を格納しておき、各印刷用紙をＭＦＰ１０（本体装置）に対して順次に供給する装置である。また、後処理装置７０は、ＭＦＰ１０にて印刷出力が行われた印刷用紙に対する各種の後処理を実行するための装置である。後処理装置７０としては、中継搬送装置、スタッカー装置、くるみ製本装置、およびフィニッシング装置（パンチ処理、穴あけ処理等のフィニッシング処理を行う装置）等が例示される。
【００４３】
これらの装置１０，５０（６０，７０）は、水平方向（横方向）に一列に配列された状態で配置される。給紙装置６０および後処理装置７０は、ＭＦＰ（本体装置）１０を挟んで、画像形成システム１における用紙搬送における上流側と下流側とに配置される。給紙装置６０はＭＦＰ（本体装置）１０よりも上流側（図１の右側）に配置され、後処理装置７０はＭＦＰ（本体装置）１０よりも下流側（図１の左側）に配置される。給紙装置６０は上流側装置５０ａとも称され、後処理装置７０は下流側装置５０ｂとも称される。
【００４４】
＜１−２．ＭＦＰ１０の構成＞
図２は、ＭＦＰ（マルチ・ファンクション・ペリフェラル（Multi-Functional Peripheral））１０の機能ブロックを示す図である。
【００４５】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６、人感センサ７およびコントローラ９等を備えており、これらの各部を複合的に動作させることによって、各種の機能を実現する。なお、ＭＦＰ１０は、画像処理装置あるいは画像形成装置などとも表現される。
【００４６】
画像読取部２は、ＭＦＰ１０の所定の位置に載置された原稿を光学的に読み取って（すなわちスキャンして）、当該原稿の画像データ（原稿画像なしいスキャン画像とも称する）を生成する処理部である。この画像読取部２は、スキャン部であるとも称される。
【００４７】
印刷出力部３は、印刷対象に関するデータに基づいて紙などの各種の媒体に画像を印刷出力する出力部である。このＭＦＰ１０は、電子写真方式のプリンタ（フルカラープリンタ）でもあり、印刷出力部３は、露光部、現像部、転写部、定着部などの各種のハードウエア機構を有している。
【００４８】
通信部４は、公衆回線等を介したファクシミリ通信を行うことが可能な処理部である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（たとえば、他の情報処理装置等）との間で各種のデータを授受することが可能である。通信部４は、各種データを送信する送信部４ａと各種データを受信する受信部４ｂとを有する。
【００４９】
格納部５は、ハードディスクドライブ（ＨＤＤ）等の記憶装置で構成される。
【００５０】
操作部６は、ＭＦＰ１０に対する操作入力を受け付ける操作入力部６ａと、各種情報の表示出力を行う表示部６ｂとを備えている。このＭＦＰ１０においては、略板状の操作パネル部６ｃ（図１参照）が設けられ、当該操作パネル部６ｃは、その正面側にタッチパネル（操作パネル）２５（図１参照）を有している。
【００５１】
タッチパネル２５は、液晶表示パネルに圧電センサ等が埋め込まれて構成され、各種情報を表示するとともに操作者からの操作入力を受け付けることが可能である。タッチパネル２５においては、画像形成システム１における用紙ジャムの発生を示す画像（ジャム発生報知画像２５１等）（図９参照）、および当該用紙ジャムの発生位置を示す画像（ジャム位置報知画像２５２等）（図１３参照）が表示される。また、タッチパネル２５においては、メニュー画面等の各種の画面（ボタン画像等を含む）も表示される。操作者は、タッチパネル２５内に仮想的に配置されるボタン（ボタン画像で表現されるボタン）を押下することによって、ＭＦＰ１０の各種設定内容を変更することなどが可能である。タッチパネル２５は、操作入力部６ａの一部としても機能するとともに、表示部６ｂの一部としても機能する。
【００５２】
人感センサ７は、操作部６自体あるいは操作部６の近傍に配置され、ＭＦＰ１０の操作部６の前に存在する人物（操作）の有無を検出するセンサである。
【００５３】
コントローラ（制御部）９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されてＭＦＰ１０にインストールされるようにしてもよい。あるいは、当該プログラムは、ネットワーク等を経由してダウンロードされてＭＦＰ１０にインストールされるようにしてもよい。
【００５４】
具体的には、図２に示すように、コントローラ９は、当該プログラムの実行により、通信制御部１１と入力制御部１２と表示制御部１３と動作制御部１４と装置状況検知部１５とジャム位置取得部１６と決定部１７と判定部１８とを含む各種の処理部を実現する。
【００５５】
通信制御部１１は、他の装置（情報処理装置等）との間の通信動作を制御する処理部である。
【００５６】
表示制御部１３は、表示部６ｂにおける表示動作を制御する処理部である。表示制御部１３は、ＭＦＰ１０を操作するための操作画面等を表示部６ｂに表示させる。
【００５７】
入力制御部１２は、操作入力部６ａに対する操作入力動作を制御する制御部である。たとえば、入力制御部１２は、操作画面に対する操作入力を受け付ける動作を制御する。
【００５８】
動作制御部１４は、ＭＦＰ１０における印刷出力動作、スキャン動作、ファクシミリ通信動作等を制御する制御部である。
【００５９】
装置状況検知部１５は、ＭＦＰ（本体装置）１０に対して装着可能な２以上のオプション装置のうち、ＭＦＰ１０に実際に装着されている複数のオプション装置５０を検知する処理部である。装置状況検知部１５は、各オプション装置５０に内蔵されたセンサ（検知センサ）からの装着信号を受信することなどによって、当該各オプション装置５０が実際にＭＦＰ１０に対して（直接的あるいは間接的に）装着されていることを検知する。たとえば、装置状況検知部１５は、ＭＦＰ１０自体に対して直接的に装着されているオプション装置５０（たとえば、給紙装置６０ｃ、後処理装置７０ａ）の存在を検知することが可能である。また、装置状況検知部１５は、当該オプション装置５０（６０ｃ，７０ａ）を介して間接的にＭＦＰ１０に装着されている他のオプション装置５０（６０ｂ，６０ａ，７０ｂ〜７０ｅ等）の存在を検知（認識）することが可能である。
【００６０】
ジャム位置取得部１６は、ＭＦＰ１０内および／または複数のオプション装置５０内の各種センサで検出された用紙ジャム（用紙詰まり）の発生位置を取得する処理部である。当該各種センサで用紙ジャムが検出されると、当該用紙ジャムの検出信号が各種センサ（ＭＦＰ１０内および／または複数のオプション装置５０内のセンサ）からＭＦＰ（本体装置）１０へと送信される。ジャム位置取得部１６は、各用紙ジャムの検出信号を受信することによって、各用紙ジャムの位置（用紙ジャムが発生した装置および装置内でのジャム箇所）を取得する。
【００６１】
決定部１７は、用紙ジャムの発生位置をタッチパネル２５に表示するに際して、画像形成システム１の外観画像２００（図７および図８等参照）に関するスクロール表示を行うか否かを決定する処理部である。詳細には、当該外観画像２００のうち、その表示対象範囲である部分画像を徐々に変更しつつ（表示対象範囲を徐々にずらしつつ）表示するスクロール表示（自動スクロール表示）、を行うか否かが決定される。なお、外観画像２００は、ＭＦＰ（本体装置）１０と複数のオプション装置５０とが所定方向（左右方向）に配列されて構成される画像形成システム１の全体の外観を示す画像（横長画像）である。
【００６２】
判定部１８は、タッチパネル２５に表示された画像（基準位置画像（後述）および／またはジャム位置報知画像（後述）等）を操作者が視認したか否かを判定する処理部である。判定部１８は、人感センサ７による検出結果等に基づいて、当該基準位置画像等を操作者が視認したか否かを判定する。たとえば、タッチパネル２５における基準位置画像の表示中に人感センサ７によって人物が検出されると、判定部１８は、当該人物（操作者）が当該基準位置画像を視認した旨を判定する。
【００６３】
なお、ここでは、主にコントローラ９のＣＰＵにてソフトウエアプログラムを実行することによって、上述の各種の動作が実行される態様が例示されているが、これに限定されず、ＭＦＰ１０（詳細には、コントローラ９の内部あるいは外部）にて設けられた専用ハードウエア等を用いて、上述の各種の動作が実行されるようにしてもよい。たとえば、入力制御部１２（図２）と表示制御部１３と動作制御部１４と装置状況検知部１５とジャム位置取得部１６と決定部１７と判定部１８との全部または一部が、１または複数の専用ハードウエアを用いて実現されてもよい。
【００６４】
＜１−３．動作＞
＜用紙ジャム発生直後の準備動作等＞
図３〜図５は、第１実施形態に係るＭＦＰ１０の動作（用紙ジャム発生時の動作）等を示すフローチャートである。これらの図３〜図５を参照しながら、用紙ジャム発生時におけるＭＦＰ１０の動作（タッチパネル２５における表示動作等）について説明する。
【００６５】
画像形成システム１による印刷ジョブの実行中において画像形成システム１内の複数の装置１０，５０の少なくとも１つにおいて用紙ジャムが発生すると、ＭＦＰ１０は、当該用紙ジャムの発生位置等を取得する（ステップＳ１１）。
【００６６】
具体的には、ＭＦＰ１０（本体装置）内で用紙ジャムの発生が装置内センサー（本体内センサー）によって検出されると、ＭＦＰ１０は当該装置内センサーでの検出信号に基づいて、ＭＦＰ１０（ジャム発生装置とも称する）で用紙ジャムが発生したこと及びＭＦＰ１０内での用紙ジャム発生位置を取得（認識）する。また、複数のオプション装置５０のうちの少なくとも１つの装置（ジャム発生装置とも称する）にて用紙ジャムの発生が検出されると、当該ジャム発生装置からＭＦＰ１０へと用紙ジャムに関する情報（ジャム検出情報）が送信される。ＭＦＰ１０は、当該ジャム検出情報を受信することによって、用紙ジャムの発生位置（ジャム発生装置に関する情報、および装置内でのジャム発生位置に関する情報等を含む）を取得する。
【００６７】
そして、ステップＳ１２〜Ｓ１５の処理が実行される。
【００６８】
具体的には、まずＭＦＰ１０は、ＭＦＰ１０自身のタッチパネル２５の横方向の幅（幅方向の画素数）Ｗ１を取得（ステップＳ１２）する。たとえば、タッチパネル２５が、縦長のパネルであり、４８０画素（横方向）×６４０画素（縦方向）のパネルサイズ（画素サイズ）を有する場合、タッチパネル２５（操作パネル）の幅Ｗ１が「４８０」（画素）であることがＭＦＰ１０によって認識される（ステップＳ１２）。
【００６９】
また、ＭＦＰ１０は、多数のオプション装置５０（６０ａ，６０ｂ，６０ｃ，６０ｄ，...，７０ａ，７０ｂ，７０ｃ，７０ｄ，７０ｅ，７０ｆ，...）のうち、ＭＦＰ（本体装置）１０に実際に装着されているオプション装置（オプション装置群とも称する）の情報を取得する（ステップＳ１３）。さらに、当該情報等に基づいて画像形成システム１の外観画像を生成するとともに、当該外観画像２００の横方向の幅（横方向の画素数）Ｗ２を取得する（ステップＳ１４）。また、画像形成システム１における「基準位置」（後述）が決定される（ステップＳ１５）。
【００７０】
たとえば、ＭＦＰ１０は、図１に示されるように、給紙装置６０ａ〜６０ｃおよび後処理装置７０ａ〜７０ｅが当該ＭＦＰ（本体装置）１０に実際に装着されていることを認識することができる（ステップＳ１３）。
【００７１】
そして、当該情報に基づいて、ＭＦＰ１０は、画像形成システム１の外観画像２００（図７および図８参照）を生成する（ステップＳ１４）。なお、外観画像２００は、各装置１０，６０，７０に対応する各描画要素等を合成した画像として生成される。
【００７２】
具体的には、ＭＦＰ１０と当該ＭＦＰ１０に実際に装着されている装置（給紙装置６０ａ〜６０ｃおよび後処理装置７０ａ〜７０ｅ）とを実際の連結順序（配列順序）に従って連結（配置）した画像（合成画像）が外観画像２００として生成される。具体的には、図７に示されるように、外観画像２００においては、右から左へ向けて、上流側の装置から下流側の装置が配置される。より具体的には、外観画像２００内において、（実際の装置配置順序と同じように）、給紙装置６０ａ，６０ｂ，６０ｃ、ＭＦＰ１０、後処理装置７０ａ，７０ｂ，７０ｃ，７０ｄ，７０ｅがこの順序で右から左へと配置される。
【００７３】
また、ここでは、各装置１０，６０，７０を表示する際の画素サイズ（各装置に対応する画像領域の幅Ｗ）がそれぞれ予め定められているものとする（図６参照）。図６は、外観画像２００における各画像領域（各部分画像）の大きさ（幅等）が規定されたデータテーブルを示す図である。このデータテーブルに規定された大きさで各対応画像領域が表示される場合には、ユーザは、当該各対応画像領域を十分な大きさを有する状態で視認することが可能である。
【００７４】
図６のデータテーブルにおいては、ＭＦＰ１０の対応画像領域の幅（横方向の大きさ）Ｗ１０（図７も参照）は３６０画素であることが定められている。同様に、給紙装置６０ａ，６０ｂ，６０ｃの各対応画像領域の幅Ｗ６１，Ｗ６２，Ｗ６３（図７も参照）は、いずれも２７０画素であることが定められている。また、後処理装置７０ａ，７０ｂ，７０ｃ，７０ｄ，７０ｅの各対応画像領域の幅Ｗ７１，Ｗ７２，Ｗ７３，Ｗ７４，Ｗ７５（図７も参照）は、それぞれ、１８０画素、２７０画素、２７０画素、４５０画素、３６０画素であることが定められている。なお、各対応画像領域の縦方向の大きさ（高さ）は、いずれも６４０画素である。
【００７５】
外観画像２００は、各構成要素（各装置１０，６０，７０に対応する描画要素）が上述の大きさを有する状態で生成される。たとえば、外観画像２００は、横方向に２９０００画素（次述）を有し且つ縦方向に６４０画素を有する矩形領域内において、各装置１０，６０，７０の外観を模した図形（あるいは写真）が描画された画像である（図７等参照）。当該外観画像２００は、ＭＦＰ１０に実際に装着されている複数のオプション装置の種類および／または個数に応じて横方向の画素数が異なるように生成される。
【００７６】
また、ステップＳ１４では、用紙ジャム発生位置を示す図形が、外観画像２００において用紙ジャム発生位置に対応する位置に付される。図８等においては、比較的小径の円形図形２４６によって用紙ジャム発生位置Ｐ１，Ｐ２，Ｐ３が示されている。
【００７７】
さらに、ステップＳ１４においては、図６のデータテーブル等に基づいて、外観画像２００の横方向の幅（横方向の画素数）Ｗ２が算出される。たとえば、上述の給紙装置６０ａ〜６０ｃ、ＭＦＰ１０、後処理装置７０ａ〜７０ｅの幅の合算値（２７００画素）と外観画像２００の両端付近の空白領域の幅Ｗ８１，Ｗ８２（図８参照）（１００画素ずつの合計２００画素）とを加えた値（２９００画素）が、幅Ｗ２として算出される。
【００７８】
また、ステップＳ１５において、ＭＦＰ１０は、「ＭＦＰ本体の基準位置Ｐ０（図８参照）」を「画像形成システムに関する基準位置ＰＳ」として決定する。
【００７９】
＜スクロール表示の要否の決定動作＞
次のステップＳ１６（図３）において、ＭＦＰ１０（決定部１７）は、ジャム位置報知画面に関するスクロール表示（自動スクロール表示）の要否を決定する。当該スクロール表示を行う旨が決定される場合にはステップＳ１７からステップＳ３０（図４も参照）に進み、スクロール表示（自動スクロール表示）が行われる（図１４〜図１９参照）。一方、当該スクロール表示を行わない旨が決定される場合には、ステップＳ１７からステップＳ２０（図５も参照）に進み、非スクロール表示が行われる（図２０〜図２２参照）。
【００８０】
ステップＳ１６においては、ＭＦＰ１０に実際に装着されているオプション装置に応じて生成された外観画像２００に基づいて、スクロール表示を行うか否かが決定される。具体的には、外観画像２００の横方向における画素数Ｗ２がタッチパネル２５の横方向における画素数Ｗ１よりも大きいこと（Ｗ２＞Ｗ１）を条件として、スクロール表示を行う旨が決定される。より詳細には、値Ｗ２と値Ｗ１との差分（Ｗ２−Ｗ１）が所定値（余裕値）α（値αは、ゼロまたは正の値）よりも大きいことを条件として、スクロール表示を行う旨が決定される。逆に、差分（Ｗ２−Ｗ１）が値α以下の場合には、スクロール表示を行わない旨が決定される。
【００８１】
また、ステップＳ１６においては、画像形成システム１における用紙ジャムの発生位置にも基づいて、スクロール表示を行うか否かが決定される。
【００８２】
詳細には、「画像形成システムに関する基準位置ＰＳ」（ここでは、「ＭＦＰ本体の基準位置Ｐ０（図８参照）」）に対応する部分画像（本体位置画像）（２５１（図１４）あるいは２８１（図２０）等）の外部の位置で（少なくとも１つの）用紙ジャムが発生していることを条件として、スクロール表示を行う旨が決定される。
【００８３】
具体的には、全ての（１または複数の）用紙ジャムの発生位置が本体位置画像（本体画像とも称する）内の位置のみである場合、ジャム位置報知に関するスクロール表示を行わない旨が決定される。なお、用紙ジャムの発生位置が本体位置画像内の位置のみである場合、ステップＳ２０（詳細にはステップＳ２６）において、タッチパネル２５は、ジャム位置報知画像として、「本体位置画像２８１」（図２０参照）を（スクロール表示を伴わずに）表示する。
【００８４】
これに対して、本体位置画像２８１（２５１）外の位置で少なくとも１つの用紙ジャムが発生している場合には、原則として、スクロール表示を行う旨が決定される。
【００８５】
ただし、本体位置画像２８１の外部の位置で用紙ジャムが発生している場合であっても、一方端の端部画像（２８２（図２１参照）あるいは２８３（図２２参照））内の位置のみで用紙ジャムが発生しているときには、ジャム位置報知に関するスクロール表示を行わない旨が（例外的に）決定される。詳細には、全ての（１または複数の）用紙ジャムの発生位置が、一の端部画像（画像形成システム１の水平方向における一方端（上流側端部あるいは下流側端部）に対応する部分画像）内の位置のみである場合、ジャム位置報知に関するスクロール表示を行わない旨が決定される。なお、用紙ジャムの発生位置が、一の端部画像内の位置（画像形成システム１の水平方向における一方端側の位置）のみである場合、ステップＳ２０（詳細にはステップＳ２７）において、タッチパネル２５は、ジャム位置報知画像として、「端部画像（２８２あるいは２８３）」（図２１，図２２参照）を（スクロール表示を伴わずに）表示する（後述）。
【００８６】
一方、それ以外の場合（異なる種類の複数の位置で複数のジャムが発生している場合、ならびに、本体位置画像以外且つ端部画像以外の部分画像に対応する位置で用紙ジャムが発生している場合等）には、原則通り、当該複数の位置への各スクロール表示を行う旨が決定される。
【００８７】
なお、ここでは、全ての（１または複数の）用紙ジャムの発生位置が本体位置画像内の位置のみ或いは画像形成システム１の一方端の端部画像内の位置のみである場合、ジャム位置報知に関するスクロール表示を行わない旨が決定されるが、これに限定されない。たとえば、全ての（１または複数の）用紙ジャムの発生位置が画像形成システム１の一方端の端部画像内の位置のみである場合には、ジャム位置報知に関するスクロール表示を行う旨が決定されてもよい。
【００８８】
また、ここでは、画像形成システム１における用紙ジャムの発生位置と、ＭＦＰ１０に実際に装着されているオプション装置に応じて生成された外観画像２００との双方に基づいて、スクロール表示を行うか否かが決定されるが、これに限定されない。たとえば、当該双方のうちの一方のみに基づいて、スクロール表示を行うか否かが決定されてもよい。
【００８９】
＜スクロール表示動作＞
次に、図４等を参照しながら、ジャム位置報知画像（２５２（図１３および図１５参照）等）を表示する際の「スクロール表示動作」等について説明する。
【００９０】
この実施形態では、「スクロール表示」を行う旨が決定される場合、タッチパネル２５において、先ず基準位置画像Ｑが表示される。基準位置画像Ｑは、外観画像２００のうち画像形成システム１に関する基準位置ＰＳに対応する部分画像である。たとえば、画像形成システム１に関する基準位置ＰＳがＭＦＰ（本体装置）１０の基準位置Ｐ０（本体装置１０の配置範囲内の位置Ｐ０）である場合（図１４参照）、本体装置１０を含む部分画像（２５１（図９も参照），２５３，２５５等）（図１４〜図１９も参照）が基準位置画像Ｑである。これらの基準位置画像Ｑ（２５１等）は、画像形成システム１のうちＭＦＰ（本体装置）１０に関する画像である。なお、複数の基準位置画像２５１，２５３，２５５のうち、基準位置画像２５１は、スクロール表示の開始直前に表示されている画像である、とも表現される。また、基準位置画像２５３，２５５は、後述するように再び表示される基準位置画像であることから、再表示画像とも表現される。
【００９１】
そして、基準位置画像Ｑが一旦表示された後、基準位置画像Ｑ（２５１等）から「ジャム位置報知画像」へのスクロール表示が実行される。これに応じて、「ジャム位置報知画像」がスクロール表示の開始後に表示される。「ジャム位置報知画像」は、外観画像２００のうち用紙ジャムの発生位置を示す部分画像（２５２（図１３），２５４，２５６等）（図１４〜図１９も参照）である。
【００９２】
たとえば、図８に示すような３つの位置（給紙装置６０ｂの配置範囲Ｒ６２内の位置Ｐ１、後処理装置７０ｂの配置範囲Ｒ７２内の位置Ｐ２、および後処理装置７０ｅの配置範囲Ｒ７５内の位置Ｐ３）で複数のジャムが発生している場合には、次のような動作が実行される。
【００９３】
ここでは、図２３の最上段に示される優先順位に従った順序で、複数のジャム位置に関する複数のジャム位置報知画像が（異なるタイミングで）個別に表示されるものとする。具体的には、「本体装置」（の配置範囲内のジャム位置に対応するジャム位置報知画像）、「給紙装置」（の配置範囲内のジャム位置に対応するジャム位置報知画像）、「後処理装置」（の配置範囲内のジャム位置に対応するジャム位置報知画像）の順で、複数のジャム位置に関する「ジャム位置報知画像」が（異なるタイミングで）個別に表示されるものとする。なお、図２３は、複数のジャム位置の優先順位（換言すれば、複数のジャム位置に対応する複数の部分画像の優先順位）を示す図である。
【００９４】
図８の例では、ジャム位置は「本体装置」には存在せず、最初に解除すべきジャム位置は、「給紙装置」内のジャム位置Ｐ１である。そして、当該ジャム位置Ｐ１の用紙ジャムが解除された後に、「後処理装置」内のジャム位置Ｐ２，Ｐ３が解除される。ここでは、２つのジャム位置Ｐ２，Ｐ３のうち、基準位置Ｐ０に近い方のジャム位置Ｐ２を先に解除するものとする。このように、図２３の最上段に示される優先順位に従って、位置Ｐ１，Ｐ２，Ｐ３はこの順で解除されるべき旨が決定される。
【００９５】
具体的には、異なる複数の位置Ｐ１，Ｐ２，Ｐ３で複数のジャムが発生している場合には、当該複数の位置をそれぞれ示す複数の部分画像（ジャム位置報知画像）２５２，２５４，２５６がこの順序で個別に表示される。また、各ジャム位置報知画像は、基準位置画像２５１からの画面遷移（スクロール表示）を伴って表示される。
【００９６】
より具体的には、図１４〜図１９に示されるように、基準位置画像２５１（図１４）、ジャム位置報知画像２５２（図１５）、基準位置画像２５３（図１６）、ジャム位置報知画像２５４（図１７）、基準位置画像２５５（図１８）、ジャム位置報知画像２５６（図１９）がこの順序で表示される。なお、図１４は、最初に表示される基準位置画像２５１等を示す図であり、図１５は、１つ目のジャム位置Ｐ１に関するジャム位置報知画像２５２等を示す図である。図１６は、再表示される基準位置画像Ｑ（２５３）等を示す図であり、図１７は、２つ目のジャム位置Ｐ２に関するジャム位置報知画像２５４等を示す図である。また、図１８は、再び表示される基準位置画像Ｑ（２５５）等を示す図であり、図１９は、３つ目のジャム位置Ｐ３に関するジャム位置報知画像２５６等を示す図である。
【００９７】
詳細には、まずステップＳ３１（図４）において、基準位置画像２５１（図９および図１４参照）がタッチパネル２５に表示される（ステップＳ３１（図４参照））。図１４に示されるように、基準位置画像２５１は、外観画像２００のうち、基準位置（ここでは本体位置Ｐ０）に対応する部分画像である。この基準位置画像２５１は、本体位置Ｐ０に対応する部分画像でもあることから、「本体位置画像」とも称される。また、図９は、基準位置画像２５１を示す拡大図である。図９に示されるように、基準位置画像２５１は、タッチパネル２５の全面に亘って表示される。したがって、操作者は、（外観画像２００の全体が一度にタッチパネル２５に表示（たとえば、「４８０／２９００」＝１６％に縮小表示）される場合に比べて）比較的大きく表示された基準位置画像２５１を視認することが可能である。したがって、現在、ＭＦＰ１０付近の基準位置画像２５１が表示されていることをより確実に認識することが可能である。
【００９８】
その後、ＭＦＰ１０は、人感センサ７を用いてＭＦＰ１０のタッチパネル２５の前に操作者が存在（詳細には、所定期間（たとえば５秒程度）に亘って存在）していることを検出すると、タッチパネル２５（詳細には基準位置画像２５１）を操作者が視認したものと判定する。そして、ステップＳ３２からステップＳ３３に進み、「スクロール表示」が開始される。換言すれば、基準位置画像２５１を操作者が視認した旨が判定されることを条件として、スクロール表示が開始される。この結果、次述するように、基準位置画像２５１に代えてジャム位置報知画像２５２が表示される。
【００９９】
ステップＳ３３では、次順位（まず第１順位）のジャム位置に対応する部分画像へのスクロール表示動作が実行される。ここでは、給紙装置６０ｂの配置範囲内のジャム位置Ｐ１が第１順位のジャム位置であると判断される。そして、基準位置画像２５１からジャム位置報知画像２５２（図１５参照）へのスクロール表示が実行される。図１５に示されるように、ジャム位置報知画像２５２は、外観画像２００のうち、ジャム位置Ｐ１に対応する部分画像である。また、図１３は、ジャム位置報知画像２５２を示す拡大図である。図１３に示されるように、ジャム位置報知画像２５２は、タッチパネル２５の全面に亘って表示される。したがって、操作者は、（外観画像２００の全体が一度にタッチパネル２５に表示（縮小表示）される場合に比べて）比較的大きく表示されたジャム位置報知画像２５２を視認することが可能である。したがって、位置Ｐ２付近の様子をより確実に認識することが可能である。
【０１００】
ステップＳ３３における当該スクロール表示動作においては、図１５に示されるように、タッチパネル２５における表示状態は、基準位置画像２５１がタッチパネル２５の全体に表示された状態（図９）から、ジャム位置報知画像２５２がタッチパネル２５の全体に表示された状態（図１３）へと徐々に遷移する。したがって、操作者は、この画面遷移を視認することによって、ジャム位置Ｐ１を容易に知得することが可能である。詳細には、このような画面遷移（上記スクロール表示による画面遷移）においては、外観画像２００全体のうちのタッチパネル２５における表示対象領域が徐々に装置の右側部分へと移動するので、操作者は、（最初の）ジャム位置が基準位置Ｐ０よりも右側に存在することを知得できる。また、操作者は、外観画像２００における表示対象領域の移動の様子（移動量および移動中の画面変化の内容等）を視認することによって、大凡のジャム位置（基準位置Ｐ０からの離れ度合い等）を知得することができる。
【０１０１】
その後、操作者は、ジャム位置報知画像２５２を視認し、ジャム位置Ｐ１における用紙ジャムを解除する。なお、この際、ガイダンスボタン２４１（図１３）の押下に応答して、用紙ジャム解除方法を操作者に詳細に説明するガイダンス画面（不図示）が表示されるようにしてもよい。
【０１０２】
操作者が給紙装置６０ｂ（位置Ｐ１）の用紙ジャムを解除する作業を終え、ＭＦＰ１０が当該用紙ジャムの解除を検出すると、ステップＳ３４からステップＳ３５に進む。ステップＳ３５では、位置Ｐ１に関する用紙ジャムが解除されたことに応じて、当該位置Ｐ１に関する用紙ジャムのデータが削除される。また、外観画像２００の位置Ｐ１付近に付されていた円形図形（用紙ジャム位置Ｐ１を示す図形）２４６（図１５）も外観画像２００から削除される。
【０１０３】
操作者は、当該位置Ｐ１での用紙ジャムの解除作業を終えると、基準位置Ｐ０に戻って、再びタッチパネル２５を視認する。
【０１０４】
ＭＦＰ１０は、他の用紙ジャムが未だ存在するか否かを判定する（ステップＳ３６）。他の用紙ジャムが未だ存在する場合には、ステップＳ３７に進む。ステップＳ３７では、タッチパネル２５における基準位置画像２５１（２５３とも称する）への復帰処理が行われる。具体的には、ジャム位置報知画像２５２から基準位置画像２５３（図１６参照）へのスクロール表示が行われることによって、タッチパネル２５に基準位置画像が再び表示される（Ｓ３１）。ただし、これに限定されず、当該スクロール表示を伴わずに基準位置画像２５１（２５３）が直ちに表示されてもよい。なお、基準位置画像２５３は、基準位置画像２５１と実質的に同じ画像である。
【０１０５】
次に、同様にして、基準位置画像２５３（図１６）からジャム位置報知画像２５４へのスクロール表示を伴う画面遷移動作等が行われる（図１７参照）。
【０１０６】
具体的には、３つのジャム位置報知画像２５２，２５４，２５６のうち、ジャム位置報知画像２５２内の位置Ｐ１に関する用紙ジャムの解消に応じて基準位置画像が再び表示（ステップＳ３１）された後に、次の位置Ｐ２に対応する部分画像２５４を新たなジャム位置報知画像として表示する。より詳細には、再表示された基準位置画像２５３からジャム位置報知画像２５４へのスクロール表示を伴いつつ、ジャム位置報知画像２５４（図１７参照）が表示される（ステップＳ３３）。
【０１０７】
ただし、タッチパネル２５にて再表示された基準位置画像２５３（再表示画像とも称される）を操作者が視認した旨が判定される（ステップＳ３２）ことを条件として、当該基準位置画像２５３からジャム位置報知画像２５４へのスクロール画面遷移（図１７参照）が開始される。なお、ステップＳ３２では、上述のように、人感センサ７の検出結果に基づいて、基準位置画像２５３を操作者が視認したか否かが判定される。
【０１０８】
その後、操作者が位置Ｐ２でのジャム解除作業（後処理装置７０ｂでのジャム解除作業）を終え、ＭＦＰ１０が当該用紙ジャムの解除を検出する（ステップＳ３４）と、当該位置Ｐ２に関する用紙ジャムのデータの削除処理等が行われる（ステップＳ３５）。これに伴い、外観画像２００の位置Ｐ２付近に付されていた円形図形（用紙ジャム位置Ｐ２を示す図形）２４６も外観画像２００から削除される。
【０１０９】
操作者は、当該位置Ｐ２での用紙ジャムの解除作業を終えると、基準位置Ｐ０に戻って、再びタッチパネル２５を視認する。
【０１１０】
ＭＦＰ１０は、他の用紙ジャムが未だ存在する旨を判定（ステップＳ３６）し、ステップＳ３７を経由してステップＳ３１に戻る。これによって、ジャム位置報知画像２５４から基準位置画像２５１（２５５とも称する）への表示変更動作（スクロール表示動作等）が行われる（図１８参照）。なお、基準位置画像２５５は、基準位置画像２５１と実質的に同じ画像である。
【０１１１】
次に、同様にして、基準位置画像２５５（図１８）からジャム位置報知画像２５６へのスクロール表示を伴う画面遷移動作等（図１９参照）が行われる。
【０１１２】
具体的には、３つのジャム位置報知画像２５２，２５４，２５６のうち、ジャム位置報知画像２５４内の位置Ｐ２に関する用紙ジャムの解消に応じて基準位置画像Ｑ（２５５）が再び表示（ステップＳ３１）された後に、次の位置Ｐ３に対応する部分画像２５６を新たなジャム位置報知画像として表示する。より詳細には、再表示された基準位置画像Ｑ（２５５）からジャム位置報知画像２５６へのスクロール表示を伴いつつ、ジャム位置報知画像２５６（図１９参照）が表示される（ステップＳ３３）。
【０１１３】
ただし、タッチパネル２５にて再表示された基準位置画像Ｑ（再表示画像２５５）を操作者が視認した旨が判定される（ステップＳ３２）ことを条件として、当該基準位置画像Ｑ（２５５）からジャム位置報知画像２５６へのスクロール画面遷移が開始される。なお、ステップＳ３２では、人感センサ７の検出結果に基づいて、基準位置画像２５５を操作者が視認したか否かが判定される。
【０１１４】
その後、操作者が位置Ｐ３でのジャム解除作業（後処理装置７０ｅでのジャム解除作業）を終え、ＭＦＰ１０が当該用紙ジャムの解除を検出する（ステップＳ３４）と、当該位置Ｐ３に関する用紙ジャムのデータの削除処理等が行われる（ステップＳ３５）。これに伴い、外観画像２００の位置Ｐ３付近に付されていた円形図形（用紙ジャム位置Ｐ３を示す図形）２４６も外観画像２００から削除される。
【０１１５】
操作者は、当該位置Ｐ３での用紙ジャムの解除作業を終えると、基準位置Ｐ０に戻って、再びタッチパネル２５を視認する。
【０１１６】
ＭＦＰ１０は、他の用紙ジャムが存在しない旨をステップＳ３６にて判定すると、ステップＳ３８に進む。ステップＳ３８では、用紙ジャムの解除作業が全て完了した旨を示す画面がタッチパネル２５に表示される。その後、操作者が操作パネル部６ｃのスタートキーを押下すると、中断していた印刷ジョブが再開される。
【０１１７】
以上のような動作によれば、スクロール表示を行う旨がステップＳ１６にて決定される場合、ＭＦＰ１０のタッチパネル２５は、外観画像２００のうち、画像形成システム１に関する基準位置に対応する部分画像である基準位置画像Ｑ（２５１等）を、当該スクロール表示の開始直前に表示する（ステップＳ３１（図４））。その後、タッチパネル２５は、外観画像２００のうち用紙ジャムの発生位置を示す部分画像（ジャム位置報知画像２５２等）へのスクロール表示（ステップＳ３３）を実行する。当該スクロール表示においては、外観画像２００のうちの表示対象領域（表示対象の部分画像）が、外観画像２００の一の部分画像である基準位置画像Ｑ（２５１等）から、外観画像２００の他の部分画像であるジャム位置報知画像（２５２等）へと徐々に変化する。したがって、操作者は、この画面遷移を視認することによって、ジャム位置（Ｐ１等）をより適切に認識することが可能である。換言すれば、この画像形成システム１によれば、用紙ジャムの発生位置をより適切に操作者に提示することが可能である。
【０１１８】
より詳細には、（横長の）外観画像２００の全体がタッチパネル２５に縮小表示される場合に比べて、外観画像２００の部分画像がタッチパネル２５に比較的大きく表示される。詳細には、画像形成システム１における各装置１０，５０に関する画像（基準位置画像Ｑおよびジャム位置報知画像、ならびに両画像の間の画像（スクロール途中で表示される部分画像）等）が比較的大きく表示される。それ故、外観画像２００が縮小表示される場合と比べて、見易さが向上する（見難さが解消される）。したがって、操作者は、画像形成システム１内における用紙ジャム発生位置をより確実に認識することが可能である。
【０１１９】
また、仮に、複数のオプション装置を含む装置群が直列的に連結されている画像形成システム１において、ＭＦＰ（本体装置）以外で用紙ジャムが発生した場合に、常にジャム位置周辺のみを表示するだけでは、そのジャム位置が画像形成システム１全体の中の何れの位置なのかを判断できないことがある。たとえば、ジャム位置がＭＦＰ（本体装置）外である場合（特に、類似した外観を有する複数の装置が連結されている場合等）には、当該ジャム位置付近の部分画像（ジャム位置報知画像）のみが突然拡大表示されても操作者がジャム位置（画像形成システム内での水平位置）を知得することは困難である。
【０１２０】
これに対して、上記実施形態においては、基準位置画像Ｑが一旦表示された後、当該基準位置画像Ｑからジャム位置報知画像へのスクロール表示が行われるので、操作者は、基準位置に対するジャム発生位置の相対位置を認識すること（ジャム発生位置を基準位置に対する相対的な位置として認識すること）が可能である。
【０１２１】
また、複数のジャム位置が存在する場合にも、当該複数のジャム位置のそれぞれに対応する各ジャム位置報知画像がそれぞれ基準位置画像Ｑからのスクロール表示によって、操者に提示されている。したがって、複数のジャム発生位置のそれぞれを、所定の基準位置ＰＳに対する相対的な位置として認識することが可能である。
【０１２２】
また、ここでは、基準位置画像Ｑ（２５１等）を操作者が視認した旨が判定されることを条件として、スクロール表示が開始される（ステップＳ３２，Ｓ３３）。これによれば、操作者によってタッチパネル２５（詳細には基準位置画像Ｑ）が視認された状態でスクロール表示が開始され得るので、操作者が当該スクロール表示を見逃す可能性を低減することが可能である。
【０１２３】
＜非スクロール表示動作＞
次に、図５等を参照しながら、ジャム発生位置報知画像等を表示する際の「非スクロール表示動作」等について説明する。
【０１２４】
上述のように、スクロール表示を行わない旨がステップＳ１６（図３）にて判定されると、処理はステップＳ１７からステップＳ２０に進む。ステップＳ２０においては、「非スクロール表示動作」（ステップＳ２２，Ｓ２６，Ｓ２７）等が実行される。
【０１２５】
具体的には、上述の差分（Ｗ２−Ｗ１）が値α以下であることに起因してスクロール表示を行わない旨がステップＳ１６にて決定された場合には、ステップＳ２１からステップＳ２２に進む。ステップＳ２２では、外観画像２００の全体画像（あるいは外観画像２００の幅を６４０画素にする程度に若干（たとえば９５％に）縮小された画像）がジャム位置報知画像として表示される。
【０１２６】
また、用紙ジャムの発生位置がＭＦＰ１０（本体装置）に関する本体位置画像２８１（図２０参照）内の位置のみである場合、ステップＳ２５からステップＳ２６に進む。換言すれば、（１又は複数の）全ての用紙ジャムが本体位置画像２８１内の位置のみで発生している場合、ステップＳ２６に進む。ステップＳ２６では、本体位置画像２８１がジャム位置報知画像としてタッチパネル２５に直ちに表示される。
【０１２７】
また、用紙ジャムの発生位置が一方の端部画像内の位置のみである場合、ステップＳ２５からステップＳ２７に進む。換言すれば、全ての用紙ジャムが一方の端部画像内の位置のみで発生している場合、ステップＳ２７に進む。ステップＳ２７では、当該端部画像がジャム位置報知画像としてタッチパネル２５に直ちに表示される。
【０１２８】
たとえば、当該用紙ジャムの発生位置が端部画像２８２（図２１参照）内の位置のみである場合、当該端部画像２８２がジャム位置報知画像としてタッチパネル２５に直ちに表示される。ここで、端部画像２８２は、画像形成システム１の水平方向における上流側端部（右端部）に対応する部分画像である。
【０１２９】
あるいは、当該用紙ジャムの発生位置が端部画像２８３（図２２参照）内の位置のみである場合、当該端部画像２８３がジャム位置報知画像としてタッチパネル２５に直ちに表示される。ここで、端部画像２８３は、画像形成システム１の水平方向における下流側端部（左端部）に対応する部分画像である。
【０１３０】
その後、同一画面内での全ての用紙ジャムが解除されたことがステップＳ２８にて判定されると、ステップＳ２０の処理は修了する。
【０１３１】
以上のように、スクロール表示を行うことを要しない旨がステップＳ１６にて判断される場合には、ステップＳ２０の動作が行われる。ステップＳ２０においては、ジャム発生直後において、（基準位置画像Ｑが表示されることなく）直ちにジャム位置報知画像（２８１、２８２，あるいは２８３等）が表示される。
【０１３２】
ここにおいて、右端部位置に対応するジャム位置報知画像２８２（右端部画像とも称される）（図２１）は、右側に空白部分（装置が描画されていない部分）を有しているので、基準位置画像Ｑからのスクロール表示がなされなくても、ジャム発生位置が画像形成システム１における右端部であることが容易に認識され得る。
【０１３３】
同様に、左端部位置に対応するジャム位置報知画像２８３（左端部画像とも称される）（図２２）は、左側に空白部分を有しているので、基準位置画像Ｑからのスクロール表示がなされなくても、ジャム発生位置が画像形成システム１における左端端部であることが容易に認識され得る。
【０１３４】
また、本体位置に対応するジャム位置報知画像２８１（本体位置画像）は、タッチパネル２５を有するなどの特徴を有しているので、ジャム発生位置が本体装置１０の配置範囲内の位置あるいはその付近の位置であることが容易に認識され得る。
【０１３５】
＜１−４．第１実施形態の変形例＞
なお、上記第１実施形態における基準位置画像Ｑ（２５１等）は、図１０に示すように、基準位置に対する用紙ジャム発生位置の相対的方向（向き）を示す矢印画像（矢印図形）２３１を有していてもよい。換言すれば、基準位置画像２５１は、次に解消すべき用紙ジャムが存在する側を指し示す矢印画像２３１を有していてもよい。これによれば、操作者は、用紙ジャム発生位置の相対位置（用紙ジャム発生位置の相対的方向（向き））をさらに確実に認識することが可能である。他の基準位置画像２５３，２５５に関しても同様である。
【０１３６】
あるいは、基準位置画像Ｑ（２５１等）は、図１１に示すように、当該基準位置画像２５１の左右方向における両端部（左端部および右端部）のうち、次に解消すべき用紙ジャムの位置に対応する端部において、点滅部分（点滅領域）２３３を有していてもよい。たとえば、図１１では、次に解消すべき用紙ジャムが基準位置よりも右側に存在する場合、基準位置画像２５１の両端部のうち右端部の縦長矩形領域（縦に細長い矩形領域）２３３（砂地ハッチングを付した部分）が点滅する。これによれば、両端部（左端部および右端部）のうち何れの端部が点滅しているかによって、用紙ジャム発生位置が存在する側が示されるので、操作者は、用紙ジャム発生位置の相対位置（用紙ジャム発生位置の相対方向（向き））をさらに確実に認識することが可能である。他の基準位置画像２５３，２５５に関しても同様である。
【０１３７】
あるいは、基準位置画像Ｑ（２５１等）において、次に解消すべき用紙ジャムが存在する側が矢印画像２３１で指し示されるとともに、残存している用紙ジャムが存在する側が点滅部分２３５で示される（報知される）ようにしてもよい（図１２参照）。特に、次に解消すべき用紙ジャムが存在する側とは反対側に更なる用紙ジャムが残存している場合、基準位置画像の横方向における両端部のうち、当該更なる用紙ジャムが存在する側の端部において点滅部分２３５が設けられてもよい（図１２参照）。他の基準位置画像２５３，２５５に関しても同様である。
【０１３８】
たとえば、図１２に示されるように、上述の３つの位置Ｐ１，Ｐ２，Ｐ３にて用紙ジャムが発生している場合（図１４参照）、最初に表示される基準位置画像２５１（２５１ｃ）において、次に解消すべき用紙ジャム（位置Ｐ１の用紙ジャム）が存在する側（ここでは右側）が矢印画像２３１で指し示される。また、次に解消すべき用紙ジャム（位置Ｐ１の用紙ジャム）が存在する側とは反対側（左側）において、更なる用紙ジャム（位置Ｐ２，Ｐ３の用紙ジャム）が残存している場合、基準位置画像の横方向における両端部のうち、当該更なる用紙ジャムが存在する側の端部（左側端部）において点滅部分２３５（２３５Ｌ）が設けられる。このような表示によれば、操作者は、残存している用紙ジャムが右側だけでなく左側にも存在することを認識できる。
【０１３９】
なお、図１２に示すように、次に解消すべき用紙ジャム（位置Ｐ１の用紙ジャム）が存在する側の端部（ここでは右側端部）においても点滅部分２３５（２３５Ｒ）が設けられてもよい。
【０１４０】
ただし、これに限定されず、逆に、次の位置Ｐ１の用紙ジャム以外の残存用紙ジャム（位置Ｐ２，Ｐ３の用紙ジャム）が存在する側の端部（ここでは左側端部）に点滅部分２３５が設けられるものの、位置Ｐ１の用紙ジャムのみが存在する側の端部（ここでは右側端部）には点滅部分２３５が設けられないようにしてもよい。たとえば、右側点滅領域２３５Ｒは設けられず、左側点滅領域２３５Ｌのみが設けられてもよい。換言すれば、次のジャム（位置Ｐ１の用紙ジャム）以後の更なる用紙ジャム（位置Ｐ２，Ｐ３の用紙ジャム）が存在しない側（右側）には、点滅部分２３５が設けられないようにしてもよい。
【０１４１】
このように、残存している全ての用紙ジャム（位置Ｐ１，Ｐ２，Ｐ３の用紙ジャム）が存在する側の端部（ここでは右側端部と左側端部との両端部）において点滅部分２３５が設けられてもよく、あるいは、その次以後に解消すべき用紙ジャム（次に解消すべき用紙ジャム以外で更に残存している用紙ジャム（位置Ｐ２，Ｐ３の用紙ジャム））が存在する側の端部においてのみ点滅部分２３５が設けられてもよい。端的に言えば、点滅領域２３５を用いて示される残存用紙ジャムには、次に解消すべき用紙ジャム（位置Ｐ１の用紙ジャム）が含まれてもよく、当該用紙ジャム（位置Ｐ１の用紙ジャム）が含まれなくてもよい。
【０１４２】
＜２．第２実施形態＞
第２実施形態は、第１実施形態の変形例である。以下では、第１実施形態との相違点を中心に説明する。
【０１４３】
上記第１実施形態では、複数の用紙ジャムが発生している場合、常に基準位置画像Ｑが一旦表示された後に別のジャム位置に関するジャム位置報知画像へのスクロール表示が行われている。換言すれば、全てのジャム位置報知画像の表示に際して、基準位置画像Ｑからジャム位置報知画像へのスクロール表示が行われている。
【０１４４】
この第２実施形態では、複数の用紙ジャムが発生している場合、２つ目以降のジャム位置を示すジャム位置報知画像（２５４等）が表示される際には、基準位置画像Ｑが表示されることなく、直前のジャム位置報知画像から（直接的に）次のジャム位置報知画像へのスクロール表示が行われる。なお、１つ目のジャム位置Ｐ１を示すジャム位置報知画像２５２が表示される際には、第１実施形態と同様に、基準位置画像Ｑ（２５１）が表示された後、当該基準位置画像２５１から１つ目のジャム位置Ｐ１に関するジャム位置報知画像２５２へのスクロール表示が行われる。
【０１４５】
たとえば、２つ目のジャム位置Ｐ２を示すジャム位置報知画像２５４が表示される際には、図２６に示されるように、ジャム位置報知画像２５２からジャム位置報知画像２５４へと直接的にスクロールする。なお、第１実施形態においては、基準位置画像２５３の表示状態が一定程度以上に亘って継続されている（図１６および図１７）が、第２実施形態においては、このような基準位置画像２５３の表示継続処理は行われず、図２６のような画面遷移が生じる。
【０１４６】
同様に、図２７に示されるように、ジャム位置報知画像２５４からジャム位置報知画像２５６へと直接的にスクロールする。なお、第１実施形態においては、基準位置画像２５５の表示状態が一定程度以上に亘って継続されている（図１８および図１９）が、第２実施形態においては、このような基準位置画像２５５の表示継続処理は行われず、図２７のような画面遷移が生じる。
【０１４７】
以下では、このような動作について説明する。
【０１４８】
図２５は、第２実施形態に係る動作の一部を示すフローチャートである。第２実施形態においては、図４の動作に代えて図２５の動作が実行される。
【０１４９】
図２５を図４と比較すると判るように、第２実施形態においては、１つ目の用紙ジャムが解消された後、２つ目の用紙ジャムが未だ存在する場合には、ステップＳ３６からステップＳ３２に戻る。この点で第１実施形態と相違する。この状態（ステップＳ３２に戻った時点）では、１つ目の用紙ジャムの位置Ｐ１に対応する部分画像（ジャム位置報知画像）２５２がタッチパネル２５に表示されている。
【０１５０】
その後、位置Ｐ１でのジャム解消作業を終えた操作者がＭＦＰ１０（タッチパネル２５）の位置に戻り、ステップＳ３２にてユーザによる画面視認が確認されると、ステップＳ３３に進む。このステップＳ３３では、２つ目の用紙ジャムの位置Ｐ２に対応する部分画像２５４（新たなジャム位置報知画像）へ向けてのスクロール表示が行われる。すなわち、ジャム位置報知画像２５２からジャム位置報知画像２５４へのスクロール動作（スクロール遷移）が行われる（図２６参照）。なお、図２６は、１つ目のジャム位置報知画像２５２から２つ目のジャム位置報知画像２５４へのスクロール動作を示す図である。
【０１５１】
ここにおいて、ＭＦＰ１０の位置に戻った操作者は、その直前においては１つ目の用紙ジャムに関して解除作業を行っていたため、当該１つ目の用紙ジャムの位置Ｐ１を認識している。そして、当該位置Ｐ１に対応するジャム位置報知画像２５２から別の位置Ｐ２に対応するジャム位置報知画像２５４へのスクロール表示がタッチパネル２５にて行われるので、操作者は、２つ目の位置Ｐ２の位置Ｐ１に対する相対位置を認識することが可能である。
【０１５２】
そして、操作者が２つの用紙ジャムの解除作業を終了すると、処理はステップＳ３４，Ｓ３５を経てステップＳ３６に進む。２つ目の用紙ジャムが解消された後、３つ目の用紙ジャムが未だ存在する場合には、ステップＳ３６からステップＳ３２に戻る。この状態では、２つ目の用紙ジャムの位置Ｐ２に対応する部分画像（ジャム位置報知画像）２５４がタッチパネル２５に表示されている。
【０１５３】
その後、位置Ｐ２でのジャム解消作業を終えた操作者がＭＦＰ１０（タッチパネル２５）の位置に再び戻り、ステップＳ３２にてユーザによる画面視認が確認されると、ステップＳ３３に進む。このステップＳ３３では、３つ目の用紙ジャムの位置Ｐ３に対応する部分画像２５６（更なる新たなジャム位置報知画像）へ向けてのスクロール表示が行われる。すなわち、ジャム位置報知画像２５４からジャム位置報知画像２５６へのスクロール動作が行われる（図２７参照）。なお、図２７は、２つ目のジャム位置報知画像２５４から３つ目のジャム位置報知画像２５６へのスクロール動作を示す図である。
【０１５４】
ここにおいて、ＭＦＰ１０の位置に戻った操作者は、２つ目の用紙ジャムに関して解除作業を行っていたため、当該２つ目の用紙ジャムの位置Ｐ２を認識している。そして、当該位置Ｐ２に対応するジャム位置報知画像２５４から別の位置Ｐ３に対応するジャム位置報知画像２５６へのスクロール表示がタッチパネル２５にて行われるので、操作者は、３つ目の位置Ｐ３の位置Ｐ２に対する相対位置を認識することが可能である。
【０１５５】
以上のように、第２実施形態においては、たとえば、第１の位置Ｐ１に関する用紙ジャムが解消された後、第２の位置Ｐ２に対応する新たなジャム位置報知画像２５４が、直前のジャム位置報知画像２５２からのスクロール動作を伴って表示される（図２６参照）。操作者は、直前のジャム位置Ｐ１を認識しているので、（直前のジャム位置Ｐ１に対応する）ジャム位置報知画像２５２から、（新たなジャム位置Ｐ２に対応する）ジャム位置報知画像２５４へのスクロール動作を視認することによって、新たなジャム位置Ｐ２をより適切に知得することが可能である。なお、ジャム位置Ｐ２に対応するジャム位置報知画像２５４からジャム位置Ｐ３に対応するジャム位置報知画像２５６へのスクロール動作（図２７参照）によっても同様の効果を得ることが可能である。
【０１５６】
また、特に、第１の位置Ｐ１での用紙ジャムの解消後にタッチパネル２５（詳細には、タッチパネル２５に表示されているジャム位置報知画像２５２）を操作者が視認した旨が判定されることを条件としてジャム位置報知画像２５２からジャム位置報知画像２５４へのスクロール動作が開始され（ステップＳ３２，Ｓ３３）、ジャム位置報知画像２５４が表示される（図２６参照）。これによれば、操作者によってタッチパネル２５（詳細にはジャム位置報知画像２５２）が視認された状態でスクロール表示が開始され得るので、操作者が当該スクロール表示を見逃す可能性を低減することが可能である。
【０１５７】
＜第２実施形態の変形例＞
なお、上記第２実施形態では、複数の用紙ジャムが発生している場合、２つ目以降のジャム位置を示すジャム位置報知画像が表示される際には、常に、直前のジャム位置報知画像から直接的に次のジャム位置報知画像へのスクロール表示が行われているが、これに限定されない。
【０１５８】
たとえば、複数の用紙ジャムが発生している場合において、２つ目以降のジャム位置を示すジャム位置報知画像が表示される際には、残存ジャム（残存している用紙ジャム）が基準位置に対して両側（左右両側）に存在する場合と片側にのみ存在する場合とで、異なる動作が行われてもよい。具体的には、第１の位置Ｐ１の用紙ジャムの解消が解消された後において、残存ジャムが基準位置Ｐ０の両側に存在する場合には、第１実施形態と同様の動作（基準位置画像Ｑからジャム位置報知画像への自動スクロール表示動作）が行われてもよい。一方、第１の位置Ｐ１の用紙ジャムの解消が解消された後において、残存用紙ジャムが基準位置Ｐ０の片側にのみ存在する場合には、第２実施形態と同様の動作（直前のジャム位置報知画像から次のジャム位置報知画像への（直接的な）自動スクロール表示動作）が行われてもよい。
【０１５９】
図２８は、このような変形例に係る動作の一部を示すフローチャートである。当該変形例においては、図４（あるいは図２５）に代えて、図２８の動作が実行される。
【０１６０】
当該変形例においては、図２８に示されるように、ステップＳ３６にて残存ジャムが存在する旨が判定されると、ステップＳ４１に進む。ステップＳ４１では、残存ジャムの位置が基準位置Ｐ０に対して両側（右側と左側との双方）に存在するか否かが判定される。
【０１６１】
残存ジャムの位置が基準位置Ｐ０の両側に存在する場合には、ステップＳ４１からステップＳ３７（Ｓ４２）を経由してＳ３１に進む。この場合、第１実施形態と同様の動作（基準位置画像Ｑからジャム位置報知画像への自動スクロール表示動作等）が行われる。たとえば、給紙装置６０ｂ（ジャム位置Ｐ１）に関するジャムが解消された後において給紙装置６０ｃの配置範囲内に別のジャム位置Ｐ４が未だ存在する状況を想定する。このときには、基準位置画像２５１が再表示され、再表示された当該基準位置画像２５１から、新たなジャム位置報知画像２５８（不図示）へのスクロール動作を伴って当該新たなジャム位置報知画像２５８が表示される（ステップＳ３１〜Ｓ３３）。なお、新たなジャム位置報知画像２５８は、外観画像２００のうち、給紙装置６０ｃの配置範囲内のジャム位置Ｐ４に対応する部分画像である。
【０１６２】
一方、残存ジャムの位置が基準位置Ｐ０の片側のみに存在する場合には、ステップＳ４１からステップＳ３２，Ｓ３３に進む。この場合、第２実施形態と同様の動作が行われる。たとえば、直前に表示されていたジャム位置報知画像２５２から次のジャム位置報知画像２５４への直接的なスクロール動作を伴って新たなジャム位置報知画像２５４が表示される。
【０１６３】
＜３．変形例等＞
以上、この発明の実施の形態について説明したが、この発明は上記説明した内容のものに限定されるものではない。
【０１６４】
また、上記各実施形態等においては、画像形成システム１の基準位置ＰＳとして、ＭＦＰ１０の基準位置Ｐ０（Ｂ０とも表記する）（図８参照）が採用されているが、これに限定されない。また、基準位置画像も基準位置Ｂ０に応じた上述の画像に限定されない。
【０１６５】
たとえば、画像形成システム１の基準位置ＰＳは、図２９に示されるように、画像形成システム１にて上流側の端部に（すなわち最も上流に）配置されるオプション装置（給紙装置６０ａ）の（Ｘ方向における）配置範囲Ｒ６１内の位置Ｂ１（たとえば画像形成システム１の右端位置等）であってもよい。また、基準位置画像Ｑは、外観画像２００のうち、画像形成システム１の上流側端部（詳細には、給紙装置６０ａの右端）を含む部分画像２９１）等であってもよい。当該部分画像２９１は、外観画像２００のうち、給紙装置６０ａの右端部の境界の両側（給紙装置６０ａの右端側部分と更に右側の空白部分との双方）を含む部分画像であるとも表現される。操作者は、このような特徴を有する部分画像２９１のみを視認したとしても、画像形成システム１の右端部分付近で用紙ジャムが発生していることを知得することが可能である。
【０１６６】
あるいは、画像形成システム１の基準位置ＰＳは、図３０に示されるように、画像形成システム１にて下流側の端部に（すなわち最も下流に）配置されるオプション装置（後処理装置７０ｅ）の（Ｘ方向における）配置範囲Ｒ７５内の位置Ｂ２であってもよい（たとえば画像形成システム１の左端位置等）。また、基準位置画像Ｑは、外観画像２００のうち、画像形成システム１の下流側端部（詳細には、後処理装置７０ｅの左端）を含む部分画像２９２等であってもよい。当該部分画像２９２は、外観画像２００のうち、後処理装置７０ｅの左端部の境界の両側（後処理装置７０ｅの左端側部分と更に左側の空白部分との双方）を含む部分画像であるとも表現される。操作者は、このような特徴を有する部分画像２９２のみを視認したとしても、画像形成システム１の左端部分付近で用紙ジャムが発生していることを知得することが可能である。
【０１６７】
あるいは、画像形成システム１の基準位置ＰＳは、図３１あるいは図３２等に示されるように、画像形成システム１におけるオプション装置（詳細にはその外装（外表面））に付されたマーク９８（ロゴマーク等）に対応する位置であってもよい。たとえば、画像形成システム１の基準位置ＰＳは、図３１に示されるように、画像形成システム１のうち本体装置１０よりも上流側に配置されたオプション装置（給紙装置６０ｂ）に付された当該マーク９８（９８ｂ）に対応する位置Ｂ３であってもよい。あるいは、画像形成システム１の基準位置ＰＳは、図３２に示されるように、画像形成システム１のうち本体装置１０よりも下流側に配置されたオプション装置（後処理装置７０ｄ）に付された当該マーク９８（９８ｄ）に対応する位置Ｂ４であってもよい。また、基準位置画像Ｑは、外観画像２００のうち、画像形成システム１における当該マーク９８（９８ｂあるいは９８ｄ）に対応する箇所を含む部分画像（２９３あるいは２９４）であってもよい。操作者は、このような特徴を有する部分画像２９３（あるいは２９４等）のみを視認したとしても、画像形成システム１のマーク位置付近で用紙ジャムが発生していることを知得することが可能である。なお、ここでは、マーク９８は、星印図形として示されているが、これに限定されず、コーポレートマーク等のその他の各種の図形であってもよい。
【０１６８】
また、上記各実施形態等では、画像形成システム１の基準位置ＰＳがＭＦＰ（本体装置）１０の基準位置Ｐ０（Ｂ０）である場合において、複数の位置で前記用紙ジャムが発生しているときには、図２３の最上段に示される優先順位に従って各ジャム位置報知画像が個別に表示される。すなわち、「本体装置」を示す部分画像、「給紙装置」（換言すれば、本体装置よりも上流側のオプション装置）を示す部分画像、「後処理装置」（換言すれば、本体装置よりも下流側のオプション装置）を示す部分画像が、この順序の優先順位に従って順に表示される。しかしながら、本発明は、これに限定されない。
【０１６９】
たとえば、画像形成システム１の基準位置ＰＳが、画像形成システム１の最上流に配置されるオプション装置（給紙装置６０ａ）の（Ｘ方向における）配置範囲内の位置Ｂ１である場合（図２９参照）には、図２３の最上段から２段目に示される優先順位に従って各ジャム位置報知画像が個別に表示されてもよい。具体的には、「給紙装置」を示す部分画像、「本体装置」を示す部分画像、「後処理装置」を示す部分画像が、この順序の優先順位に従って順に表示されてもよい。なお、画像形成システム１の基準位置ＰＳが、画像形成システム１のうち本体装置１０よりも上流側に配置されたオプション装置（給紙装置６０ｂ等）に付されたマーク（９８ｂ等）に対応する位置（Ｂ３等）である場合（図３１参照）にも同様である（図２３の４段目参照）。
【０１７０】
また、画像形成システム１の基準位置ＰＳが、画像形成システム１の最下流に配置されるオプション装置（後処理装置７０ｅ）の（Ｘ方向における）配置範囲内の位置Ｂ２である場合（図３０参照）には、図２３の最上段から３段目に示される優先順位に従って各ジャム位置報知画像が個別に表示されてもよい。具体的には、「後処理装置」を示す部分画像、「本体装置」を示す部分画像、「給紙装置」を示す部分画像が、この順序の優先順位に従って順に表示されてもよい。たとえば、ジャム位置報知画像２５６，２５４，２５２がこの順で表示されてもよい。なお、画像形成システム１の基準位置ＰＳが、画像形成システム１のうち本体装置１０よりも下流側に配置されたオプション装置（後処理装置７０ｄ等）に付されたマーク（９８ｄ等）に対応する位置（Ｂ４等）である場合（図３２参照）にも同様である（図２３の５段目参照）。
【０１７１】
また、上記各実施形態等においては、人感センサ７による検出結果に基づいて、基準位置画像Ｑを操作者が視認したか否かが判定されている（ステップＳ３２（図４））が、これに限定されない。
【０１７２】
たとえば、ＭＦＰ１０は、タッチパネル２５の基準位置画像Ｑ（２５１等）に確認ボタン２４３（ユーザ視認確認用ボタン）を表示（図２４参照）するとともに、当該確認ボタン２４３を操作者が押下したか否か（当該確認ボタンの押下の有無）に基づいて、当該基準位置画像Ｑを操作者が視認したか否かを判定するようにしてもよい。詳細には、当該確認ボタン２４３が押下されると、当該基準位置画像Ｑを操作者が視認した旨が判定されるようにしてもよい。
【０１７３】
また、上記各実施形態においては、縦長の操作パネル（タッチパネル２５）が使用される態様が例示されているが、これに限定されず、横長のタッチパネル２５が使用される場合等にも本発明を適用することができる。
【０１７４】
また、上記各実施形態におけるスクロール表示（外観画像２００に関するスクロール表示）は、いずれも自動で行われる。このような自動スクロール中においてはタッチパネル２５に対するユーザ操作が受け付けられないようにしてもよいが、これに限定されない。たとえば、自動スクロール中にタッチパネル２５に対するユーザ操作（フリック操作等）が受け付けられた場合には、当該自動スクロール中が一時的に中断され、当該ユーザ操作（手動操作）に応じてスクロールされた画面（部分画像）がタッチパネル２５に表示されてもよい。すなわち、ユーザ操作に基づく手動スクロール操作が優先されてもよい。さらに、手動操作が完了して所定時間が経過すると、自動スクロール動作が再開されるようにしてもよい。
【符号の説明】
【０１７５】
１  画像形成システム
６ｃ  操作パネル部
１０  ＭＦＰ（本体装置）
２５  タッチパネル
５０  オプション装置
６０，６０ａ，６０ｂ，６０ｃ  給紙装置
７０，７０ａ，７０ｂ，７０ｃ，７０ｄ，７０ｅ  後処理装置
９８  マーク
２４６  （ジャム位置を示す）円形図形
２５１，２５３，２５５  基準位置画像
２５２，２５４，２５６  （スクロール表示による）ジャム位置報知画像
２８１，２８２，２８３  （非スクロール表示による）ジャム位置報知画像
Ｐ０  （ＭＦＰ１０の）本体位置
Ｐ１，Ｐ２，Ｐ３  用紙ジャム位置
ＰＳ  （画像形成システム１の）基準位置
Ｑ  基準位置画像
【図１】
2019101910.tif 000003
【図２】
2019101910.tif 000004
【図３】
2019101910.tif 000005
【図４】
2019101910.tif 000006
【図５】
2019101910.tif 000007
【図６】
2019101910.tif 000008
【図７】
2019101910.tif 000009
【図８】
2019101910.tif 000010
【図９】
2019101910.tif 000011
【図１０】
2019101910.tif 000012
【図１１】
2019101910.tif 000013
【図１２】
2019101910.tif 000014
【図１３】
2019101910.tif 000015
【図１４】
2019101910.tif 000016
【図１５】
2019101910.tif 000017
【図１６】
2019101910.tif 000018
【図１７】
2019101910.tif 000019
【図１８】
2019101910.tif 000020
【図１９】
2019101910.tif 000021
【図２０】
2019101910.tif 000022
【図２１】
2019101910.tif 000023
【図２２】
2019101910.tif 000024
【図２３】
2019101910.tif 000025
【図２４】
2019101910.tif 000026
【図２５】
2019101910.tif 000027
【図２６】
2019101910.tif 000028
【図２７】
2019101910.tif 000029
【図２８】
2019101910.tif 000030
【図２９】
2019101910.tif 000031
【図３０】
2019101910.tif 000032
【図３１】
2019101910.tif 000033
【図３２】
2019101910.tif 000034